(57)【要約】【課題】樹脂に練り込んだ場合でも強度が高い竹の粉末、粒、繊維、又はこれらの混合物などを利用し、抗菌効果があり、ドレンパンそのものに結露を発生せず、環境にもやさしい、清潔な空気調和機を提供する。【解決手段】熱交換器３から生成されるドレン水を捕集するドレンパン２を備え、ドレンパン２が、断熱材とその表面を覆うスキン層２ａとで構成され、スキン層２ａが、ＡＢＳ樹脂に、竹の粉末、粒、繊維、又はこれらの混合物が練り込まれて、前記断熱材表面に一体成形されたもの。竹の抗菌効果があり、かつ万が一溶出し、排水された場合でも竹は天然素材であるため環境にやさしい。【選択図】図１
2010164255.tif 000002
【特許請求の範囲】
【請求項１】
熱交換器から生成されるドレン水を捕集するドレンパンを備えた空気調和機において、
前記ドレンパンは、断熱材とその表面を覆うスキン層とで構成され、
前記スキン層は、ＡＢＳ樹脂に、竹の粉末、粒、繊維、又はこれらの混合物が練り込まれて、前記断熱材表面に一体成形されてなることを特徴とする空気調和機。
【請求項２】
前記ドレンパンは、排水口となるドレンソケットを備えており、
該ドレンソケットは、ＡＢＳ樹脂に、竹の粉末、粒、繊維、又はこれらの混合物を練り込んで成形した成形品で構成されてなることを特徴とする請求項１記載の空気調和機。
【請求項３】
前記ドレンパンは、排水口近傍に着脱可能に抗菌剤含有成形品が取り付けられており、この抗菌剤含有成形品は、ＡＢＳ樹脂に、竹の粉末、粒、繊維、又はこれらの混合物を練り込んだ成形品で構成されてなることを特徴とする請求項２記載の空気調和機。
【発明の詳細な説明】
【技術分野】
【０００１】
本発明は、熱交換器と熱交換器から発生する凝縮水を受けるドレンパンを備えた空気調和機に関する。
【背景技術】
【０００２】
空気調和機、例えば天井埋込型等の空気調和装置では、熱交換器において凝縮された水分がドレン水となってドレンパンに貯留され、貯留されたドレン水は、ドレンポンプ、ドレン配管を通して外部に排水される（例えば、特許文献１参照）。
ドレンパンは、一般に水受け部が水漏れし難いＡＢＳ樹脂（アクリロニトリル・ブタジエン・スチレン共重合合成樹脂）等で構成される。
また、ドレン水には空気中菌やカビが入り込み、繁殖しやすく、繁殖によりそれ自身の粘性や生成物により、詰まり等の排水不良を引き起こすことがある。このため、ドレンパンに菌やカビの繁殖を抑制する薬剤を練りこんだり、塗布することで、菌やカビの繁殖を抑制することが行われている。
【０００３】
また、竹質系原料の粉末を熱可塑性合成樹脂に添加することで、菌やカビを抑制する効果があることも確認されている（例えば、特許文献２参照）。
【先行技術文献】
【特許文献】
【０００４】
【特許文献１】特開平９−５３８３７号公報（第４図）
【特許文献２】特開２００２−３２２３６５号公報
【発明の概要】
【発明が解決しようとする課題】
【０００５】
しかしながら、ドレンパンの水受け部の樹脂に菌やカビの繁殖を抑制する薬剤を練りこむ場合は、樹脂に対する薬剤の重量比が高いと強度が低下したり、薬剤が溶出する恐れがあり、環境への影響が懸念される。
【０００６】
また、薬剤を塗布する場合は、効果を高めるために、薬剤を多量に塗布する必要がある。しかし、その場合は、塗布に時間が掛かり、多大なコストが掛かるという難点がある。
【０００７】
また、竹質系原料の粉末を熱可塑性合成樹脂に添加してなる天然素材複合材料よりなる成形体を、そのまま空気調和機のドレン水を捕集するドレンパンに適用した場合、成形体そのものに結露が発生するため、好ましくない。
【０００８】
本発明は以上の点に鑑み、樹脂に練り込んだ場合でも強度が高い竹の粉末、粒、繊維、又はこれらの混合物などを利用し、抗菌効果があり、ドレンパンそのものに結露を発生せず、環境にもやさしい、清潔な空気調和機を提供することを目的とする。
【課題を解決するための手段】
【０００９】
本発明に係る空気調和機は、下記の構成からなるものである。すなわち、熱交換器から生成されるドレン水を捕集するドレンパンを備えた空気調和機において、ドレンパンが、断熱材とその表面を覆うスキン層とで構成され、スキン層が、ＡＢＳ樹脂に、竹の粉末、粒、繊維、又はこれらの混合物が練り込まれて、前記断熱材表面に一体成形されたものである。
【発明の効果】
【００１０】
本発明に係る空気調和機においては、ドレンパンが、断熱材とその表面を覆うスキン層とで構成され、スキン層が、ＡＢＳ樹脂に、竹の粉末、粒、繊維、又はこれらの混合物が練り込まれて、前記断熱材表面に一体成形されているので、竹の抗菌効果があり、かつ万が一溶出し、排水された場合でも竹は天然素材であるため環境にやさしい。
また、製品寿命を全うし、廃却、焼却される場合も、ダイオキシンが発生せず、低公害性を有している。
さらに、一般プラスチックと比較して、樹脂材料を減らすことができるため、燃焼カロリーが低く、焼却炉を傷めない。
また、竹を資源として付加価値を与えることができ、放置された竹林を有効活用できる。
【図面の簡単な説明】
【００１１】
【図１】本発明の一実施形態に係る空気調和機のドレンパンと熱交換器との関係を示す斜視図である。
【図２】本発明の一実施形態に係る空気調和機の排水口となるドレンソケットを示す斜視図である。
【図３】本発明の一実施形態に係る空気調和機のドレンポンプを示す斜視図である。
【図４】本発明の一実施形態に係る空気調和機のドレンパンを示す斜視図である。
【図５】本発明の一実施形態に係る空気調和機のドレンパンに取り付けられる抗菌剤含有成形品の例を示す斜視図である。
【発明を実施するための形態】
【００１２】
以下、図示実施形態により本発明を説明する。
図１は本発明の一実施形態に係る空気調和機のドレンパンと熱交換器との関係を示す斜視図である。図２は本実施形態に係る空気調和機の排水口となるドレンソケットを示す斜視図である。図３は本実施形態に係る空気調和機のドレンポンプを示す斜視図である。図４は本実施形態に係る空気調和機のドレンパンを示す斜視図である。図５は本実施形態に係る空気調和機のドレンパンに取り付けられる抗菌剤含有成形品の例を示す斜視図である。
【００１３】
先ず、本実施形態の空気調和機の定義を説明する。本実施形態における空気調和機は、熱交換器と、熱交換器から発生する凝縮水を受けるドレンパンと、ドレンパンに溜まったドレン水を排出するドレンポンプを備えた空気調和機である。具体的には、天井埋込型空気調和機（化粧パネルを有し、この化粧パネルが室内に露出するタイプと、本体全体が天井裏に設置されるタイプの２タイプがある）、オプションとしてドレンポンプを取り付けられる天吊型空気調和機および壁掛け型空気調和機等である。ここでは、天井埋込型空気調和機（化粧パネルを有し、この化粧パネルが室内に露出するタイプ）を例に挙げ以下の説明を行う。但し、天井埋込型空気調和機はあくまでも一例であり、これに限定されるものではない。
【００１４】
本実施形態の空気調和機は、図１のように熱交換器３の下にドレンパン２が設置されている。ドレンパン２は、図１及び図４のように断熱材である発泡スチロールと、その表面を覆うスキン層２ａとで構成されている。スキン層２ａは、ＡＢＳ樹脂に、竹の粉末、粒、繊維、又はこれらの混合物が練り込まれて、断熱材すなわち発泡スチロール表面に一体成形されている。スキン層２ａの厚さは、約０．５〜３mm程度である。
【００１５】
ドレンパン２の材質を発泡スチロールにする理由は、以下のとおりである。すなわち、ドレンパン２の上方に熱交換器３があり、空気調和機の冷房運転時には、熱交換器３の温度が室内空気よりも低くなり、ドレンパン２も熱交換器３からの伝熱等により冷却される。従って、結露を抑制するために断熱する必要があり、材質を発泡スチロールにしている。
【００１６】
発泡スチロールの表面をＡＢＳ樹脂からなるスキン層２ａにする理由は、以下のとおりである。すなわち、発泡スチロールは、断熱性はあるが、ドレン水が漏れる欠点がある。そこで、ドレンパン２からドレン水が漏れないようにするために、表面にＡＢＳ樹脂からなるスキン層２ａを一体成形している。また、このスキン層２ａに竹の粉末、粒、繊維、又はこれらの混合物などを練り込むことにより、スキン層２ａに抗菌性をもたせることができる。
【００１７】
スキン層２ａに竹の粉末、粒、繊維、又はこれらの混合物などを練り込む理由は、以下のとおりである。すなわち、ドレン水には空気中菌やカビが入り込み、繁殖しやすく、繁殖によりそれ自身の粘性や生成物により、詰まり等の排水不良を引き起こすことがある。そこで、抗菌性があり、ＡＢＳ樹脂に練り混んでも強度が高く、自然環境にやさしい竹を使用している。
【００１８】
また、本実施形態の空気調和機は、ドレンパン２に、図１及び図２のような排水口５ａを有するドレンソケット５を備えている。ドレンソケット５は、ＡＢＳ樹脂に、竹の粉末、粒、繊維、又はこれらの混合物を練り込んで成形した成形品で構成されている。これにより、水回り部分に抗菌性をもたせることができる。
【００１９】
また、本実施形態の空気調和機は、ドレンパン２に、図１及び図３のようなドレンポンプ４を備えている。ドレンポンプ４は、その吸込み口部４ａが、ＡＢＳ樹脂に、竹の粉末、粒、繊維、又はこれらの混合物を練り込んで成形されたものである。これにより、ドレンポンプ４を含む水回り部分に抗菌性をもたせることができる。
【００２０】
また、本実施形態の空気調和機は、ドレンパン２の排水口近傍、ここではドレンポンプ４の吸込み口部４ａ近傍に、図１、図４及び図５のような抗菌剤含有成形品６が着脱可能に取り付けられている。抗菌剤含有成形品６は、ＡＢＳ樹脂に、竹の粉末、粒、繊維、又はこれらの混合物を練り込んで成形されたものであるが、その抗菌性を高めるために、表面積を増やすフィン７が設けられている。
【００２１】
抗菌剤含有成形品は、抗菌成分であるＰＨＭＧ（ポリヘキサメチルグアニジンリン酸塩）を母材であるＰＥ（ポリエチレン）に練りこんだものである。抗菌成分であるＰＨＭＧの母材のＰＥに対する重量比は、５％〜２０％が適する。抗菌成分としてはＰＨＭＧをはじめとする有機系のものや、銀をはじめとする無機系のものがあり、菌の繁殖をおさえるものであれば、ＰＨＭＧに限らない。
【００２２】
このようなものにおいて、ドレン水に浸漬した抗菌剤含有成形品６からは、徐々に抗菌剤が溶出する。溶出した抗菌剤がドレン水内に拡散し、細菌やカビの繁殖を抑制する。抗菌剤は抗菌剤含有成形品６の表面から溶出するので、フィン７を設けることで、抗菌剤含有成形品の面積を大きくし、容積としては小型化することができる。これにより、ドレン水の流路だけでなく、ドレン水の影響の及ぶ部位にも抗菌性をもたせることができる。
【符号の説明】
【００２３】
２  ドレンパン、２ａ  スキン層、３  熱交換器、５  ドレンソケット、６  抗菌剤含有成形品。
【図１】
2010164255.tif 000003
【図２】
2010164255.tif 000004
【図３】
2010164255.tif 000005
【図４】
2010164255.tif 000006
【図５】
2010164255.tif 000007